(57)【要約】【課題】光や、電気的な回路が不要で、接触不良等の問題が生じない両開き扉への電力供給機構を提供する。【解決手段】ケーブルホルダ５は、右端の他端側ピン５２Ｒを支点にして、扉１０２と共に反時計方向に揺動し、ケーブルホルダ５の直線状部５００が全開した扉１０２と平行な状態になる。扉１０２を右開きする過程で、ケーブルホルダ５は、扉１０２、洗濯機本体１０１に対して若干のスライド動作と揺動動作を行う。すると、ケーブル６の一端６Ｌ、ケーブル６の他端６Ｒは若干弾性変形すると共に、一端側Ｌ字状部５０１Ｌ、他端側Ｌ字状部５０１Ｒ内部で摺動し、ケーブルホルダ５のスライド動作と揺動動作を吸収する。従って、扉１０２を右開きで全開する時に、ケーブル６には無理な力が加わらない。【選択図】図９
2020103688.tif 000002
【特許請求の範囲】
【請求項１】
本体の開口部を覆う扉と、
前記本体及び前記扉の両端部に対称位置に配置された一対の継手を備えた両開き扉への電力供給機構において、
前記扉の一端側面から前記本体の他端側面に渡って配置されたケーブルホルダと、
前記ケーブルホルダに収納され、前記扉の一端側面から前記本体の他端側面に渡って配線されたケーブルと、
前記扉の一端側面に設けられ、前記ケーブルホルダの一端を回転可能に軸支する扉側ブラケットと、
前記本体の他端側面に設けられ、前記ケーブルホルダの他端を回転可能に軸支する本体側ブラケットと
からなることを特徴とする両開き扉への電力供給機構。
【請求項２】
請求項１に記載の両開き扉への電力供給機構において、
前記ケーブルホルダの一端に形成された一端側ピンと、
前記ケーブルホルダの他端に形成された他端側ピンと、
前記扉側ブラケットに形成され、前記一端側ピンを回転可能に軸支する扉側軸支穴と、
前記本体側ブラケットに形成され、前記他端側ピンを回転可能に軸支する本体側軸支穴と
からなることを特徴とする両開き扉への電力供給機構。
【請求項３】
請求項２に記載の両開き扉への電力供給機構において、
前記扉側軸支穴または前記本体側軸支穴のうちのいずれか一方が長穴に形成されている  ことを特徴とする両開き扉への電力供給機構。
［ケーブルホルダ無し独立クレーム］
【請求項４】
本体の開口部を覆う扉と、
前記本体及び前記扉の両端部に対称位置に配置された一対の継手を備えた両開き扉への電力供給機構において、
前記扉の一端側面から前記本体の他端側面に渡って配線されたケーブルと、
前記扉の一端側面に設けられ、前記ケーブルの一端を摺動可能に支持する扉側ブラケットと、
前記本体の他端側面に設けられ、前記ケーブルの他端を摺動可能に支持する本体側ブラケットと
からなることを特徴とする両開き扉への電力供給機構。
【請求項５】
請求項４に記載の両開き扉への電力供給機構において、
前記扉側ブラケットに形成され、前記ケーブルの一端を摺動可能に支持する扉側支持穴と、
前記本体側ブラケットに形成され、前記ケーブルの他端を摺動可能に支持する本体側支持穴と
からなることを特徴とする両開き扉への電力供給機構。
【請求項６】
前記開口部に一端が開口した有底円筒状の水槽と、前記水槽内で回転する一端が開口した有底円筒状の洗濯槽とを配し、
前記扉によって、前記水槽及び前記洗濯槽の開口を塞ぐことを特徴とする、
請求項１から５に記載の両開き扉の開閉機構を備えた洗濯機。
【発明の詳細な説明】
【技術分野】
【０００１】
本発明は、冷蔵庫、洗濯機、乾燥機等の両開き扉への電力供給機構及びそれを備えた洗濯機に関する。更に詳しくは、両開き扉に電気信号用の信号、又は電力を給電するための、両開き扉への電力供給機構及びそれを備えた洗濯機に関する。
【背景技術】
【０００２】
冷蔵庫等の使い勝手の向上を図るために、扉を左右任意の側から開閉操作できる左右両開きタイプのものが提案されている。この両開き扉には温度設定等の操作を行うために、操作部が配置されているものがある。この両開き扉の操作部に信号、又は電力を供給するために、光エネルギーを電気エネルギーに変換することによって、電線を不要にしたものが提案されている（特許文献１）。同様に、両開き扉において、扉又は筐体の左右に電極であるヒンジピンを配置し、このヒンジピンに係脱自在に係合するミゾを有する電極である係合板を設けて、電極間で摺動して電力を供給するものが提案されている（特許文献２）。車両本体と車両用ドアとに、一次と二次の両コイルを設けることにより、非接触で電力を供給し、また、ドア側光通信素子と車両側光通信素子を設けて、非接触で信号を伝送するものも提案されている（特許文献３）。
【先行技術文献】
【特許文献】
【０００３】
【特許文献１】実開平３−８３４４６号
【特許文献２】特開平７−１７４４５６号
【特許文献３】特開２０００−２５５３４０号
【発明の概要】
【発明が解決しようとする課題】
【０００４】
しかしながら、提案されている先行技術では、接触により信号、又は電力を供給するものは、長期間使用していると接触不良等の問題がある。また、光、又はコイルで電力を伝達するものは、そのためのレンズ、コイル等の部品点数が増加し、かつ光通信回路、電子回路が必要であり、複雑化し、コストが高くなる傾向がある。
本発明は、以上のような背景により以下の目的を達成するものである。
本発明の目的は、簡素な構造でコストを低減可能な両開き扉への電力供給機構及びそれを備えた洗濯機を提供することにある。
本発明の他の目的は、光や、電気的な回路が不要で、接触不良等の問題が生じない、両開き扉への電力供給機構及びそれを備えた洗濯機を提供することにある。
【課題を解決するための手段】
【０００５】
本発明は、前記課題を解決するために、次の手段を採る。
即ち、本発明１の両開き扉への電力供給機構は、本体の開口部を覆う扉と、前記本体及び前記扉の両端部に対称位置に配置された一対の継手を備えた両開き扉への電力供給機構において、前記扉の一端側面から前記本体の他端側面に渡って配置されたケーブルホルダと、前記ケーブルホルダに収納され、前記扉の一端側面から前記本体の他端側面に渡って配線されたケーブルと、前記扉の一端側面に設けられ、前記ケーブルホルダの一端を回転可能に軸支する扉側ブラケットと、前記本体の他端側面に設けられ、前記ケーブルホルダの他端を回転可能に軸支する本体側ブラケットとからなることを特徴とする。
【０００６】
本発明２の両開き扉への電力供給機構は、本発明１において、前記ケーブルホルダの一端に形成された一端側ピンと、前記ケーブルホルダの他端に形成された他端側ピンと、前記扉側ブラケットに形成され、前記一端側ピンを回転可能に軸支する扉側軸支穴と、前記本体側ブラケットに形成され、前記他端側ピンを回転可能に軸支する本体側軸支穴とからなることを特徴とする。
本発明３の両開き扉への電力供給機構は、本発明２において、前記扉側軸支穴または前記本体側軸支穴のうちのいずれか一方が長穴に形成されていることを特徴とする。
【０００７】
本発明４の両開き扉への電力供給機構は、本体の開口部を覆う扉と、前記本体及び前記扉の両端部に対称位置に配置された一対の継手を備えた両開き扉への電力供給機構において、前記扉の一端側面から前記本体の他端側面に渡って配線されたケーブルと、前記扉の一端側面に設けられ、前記ケーブルの一端を摺動可能に支持する扉側ブラケットと、前記本体の他端側面に設けられ、前記ケーブルの他端を摺動可能に支持する本体側ブラケットとからなることを特徴とする。
【０００８】
本発明５の両開き扉への電力供給機構は、本発明４において、前記扉側ブラケットに形成され、前記ケーブルの一端を摺動可能に支持する扉側支持穴と、前記本体側ブラケットに形成され、前記ケーブルの他端を摺動可能に支持する本体側支持穴とからなることを特徴とする。
本発明６の両開き扉への電力供給機構を備えた洗濯機は、本発明１〜５において、前記開口部に一端が開口した有底円筒状の水槽と、前記水槽内で回転する一端が開口した有底円筒状の洗濯槽とを配し、前記扉によって、前記水槽及び前記洗濯槽の開口を塞ぐことを特徴とする。
【発明の効果】
【０００９】
本発明の両開き扉への電力供給機構及びそれを備えた洗濯機は、扉側と機器本体側、又は扉側と本体側が常時ケーブルで接続されているので、簡素な構造でコストを低減でき、安定した電力または信号の供給が可能となる。
【図面の簡単な説明】
【００１０】
【図１】図１は、本発明の第１の実施の形態の両開き扉への電力供給機構を備えた洗濯機の全体斜視図であり、扉を閉じた状態を示す。
【図２】図２（ａ）は、図１のＡ−Ａ断面図、図２（ｂ）は図１のＢ−Ｂ断面図である。
【図３】図３（ａ）は、図２（ｂ）のＰ部拡大図、図３（ｂ）は図２（ｂ）のＱ部拡大図である。
【図４】図４は、ケーブルホルダの斜視図である。
【図５】図５は、扉を裏面側の下方から見た要部の斜視図である。
【図６】図６（ａ）は、図５のＣ−Ｃ断面図、図６（ｂ）は図６（ａ）の変形例である。
【図７】図７（ａ）は、扉を右開きで開くために扉の左端を手前に引いた状態を示す図２（ａ）相当図、図７（ｂ）は扉を右開きで開くために扉の左端を手前に引いた状態を示す図２（ｂ）相当図である。
【図８】図８は、扉を右開きで全開した状態を示す図２（ａ）相当図である。
【図９】図９は、扉を右開きで全開した状態を示す要部の斜視図である。
【図１０】図１０は、扉を左開きで全開した状態を示す図２（ａ）相当図である。
【図１１】図１１は、扉を左開きで全開した状態を示す要部の斜視図である。
【図１２】図１２は、本発明の第２の実施の形態の両開き扉への電力供給機構を示し、扉を左開きで全開した状態を示す図１１相当図である。
【図１３】図１３は、図１２のＲ矢視図である。
【図１４】図１４は、扉を右開きで全開した状態を示す図１３相当図である。
【発明を実施するための形態】
【００１１】
［第１の実施の形態の両開き扉への電力供給機構の構造］
以下、本発明の第１の実施の形態を図面に基づいて説明する。図１は本発明の第１の実施の形態の両開き扉への電力供給機構を備えた洗濯機の全体斜視図であり、扉を閉じた状態を示す。図２は扉を全閉した状態の図であり、図２（ａ）は図１のＡ−Ａ断面図、図２（ｂ）は図１のＢ−Ｂ断面図である。図３（ａ）は図２（ｂ）のＰ部拡大図、図３（ｂ）は図２（ｂ）のＱ部拡大図である。図４はケーブルホルダの斜視図、図５は扉を裏面側の下方から見た要部の斜視図、図６（ａ）は図５のＣ−Ｃ断面図、図６（ｂ）は図６（ａ）の変形例である。本発明の第１の実施の形態の両開き扉への電力供給機構を備えた洗濯機１００は、洗濯機本体（機器本体、又は本体）１０１内に、一端が開口する有底円筒状の水槽（図示せず。）を、開口端を前面に向けて横向き、又は斜め上向きに設置している。
【００１２】
また、水槽内には、一端が開口し周囲に複数の穴が形成された有底円筒状の洗濯機（図示せず。）を、水槽内で回転可能となるように、水槽と同心状に設置している。水槽及び洗濯槽の開口は、洗濯機本体１０１の前面１０３の開口部に取り付けられる。そして、図１に示すように、洗濯機本体１０１の前面１０３の開口部に扉１０２が取り付けられ、扉１０２と洗濯機本体１０１の左右両端部の対称位置に、上部と下部の２箇所に一対の開閉機構が配置され、左右両側に開閉可能な両開きの洗濯機１００である。上部と下部の開閉機構は全く同一構造なので、以下の説明では、扉１０２と洗濯機本体１０１の下部に配置された一対の開閉機構についてのみ説明し、上部に配置された一対の開閉機構についての説明は省略する。
【００１３】
図２（ａ）に示すように、扉１０２が閉じた状態では、洗濯機本体１０１の一端（左端）側面の下部に第１ピンブラケット２Ｌが固定され、扉１０２の一端（左端）側面の下部に固定された第１カム溝ブラケット３Ｌが第１ピンブラケット２Ｌに係合している。同様に、扉１０２が閉じた状態では、洗濯機本体１０１の他端（右端）側面の下部に第２ピンブラケット２Ｒが固定され、扉１０２の他端（右端）側面の下部に固定された第２カム溝ブラケット３Ｒが第２ピンブラケット２Ｒに係合している。図２（ａ）に示すように、第１ピンブラケット２Ｌと第２ピンブラケット２Ｒ、及び、第１カム溝ブラケット３Ｌと第２カム溝ブラケット３Ｒは左右対称な形状に形成されている。また、第１ピンブラケット２Ｌと第２ピンブラケット２ＲはＬ字形に形成され、その垂直な側板が洗濯機本体１０１の側面に固定されている。同様に、第１カム溝ブラケット３Ｌと第２カム溝ブラケット３ＲはＬ字形に形成され、その垂直な側板が扉１０２の側面に固定されている。
【００１４】
［扉の左端の開閉機構の構造］
最初に、左端に固定された第１カム溝ブラケット３Ｌと第１ピンブラケット２Ｌの詳細な構造について説明する。第１カム溝ブラケット３Ｌの水平な上板には、扉１０２の一端（左端）側に開口する第１カム溝４Ｌが形成されている。第１カム溝４Ｌは、傾斜案内面４１Ｌ、平行案内面４２Ｌ、扉揺動案内面４３Ｌで構成されている。第１ピンブラケット２Ｌの水平な上板には、第１カム溝４Ｌに係合可能な一端側第１ピン２１Ｌが固定されている。一端側第１ピン２１Ｌは円柱形状で、断面形状が円形の一部を切り欠いたＤ形の形状である。一端側第１ピン２１ＬのＤ形に切り欠いた平面は、洗濯機本体１０１の前面１０３と平行に形成されている。平行案内面４２Ｌは扉１０２と平行に形成されている。切り欠いた平面と一端側第１ピン２１Ｌの外周との間の長さは、平行案内面４２Ｌの幅と同一長さに形成されている。扉１０２の一端（左端）側に開口する傾斜案内面４１Ｌは、平行案内面４２Ｌに連続して形成され、傾斜案内面４１Ｌの幅は一端側第１ピン２１Ｌの外径寸法と同一長さに形成されている。円形の扉揺動案内面４３Ｌは、平行案内面４２Ｌに連続して形成され、扉揺動案内面４３Ｌの内径寸法は一端側第１ピン２１Ｌの外径寸法と同一長さに形成されている。扉揺動案内面４３Ｌには、扉１０２を開いたときに扉１０２の揺動角度を制限するための第１突起４４Ｌが形成されている。第１突起４４Ｌは平行案内面４２Ｌの延長上に形成されている。
【００１５】
［扉の右端の開閉機構の構造］
次に、右端に固定された第２カム溝ブラケット３Ｒと第２ピンブラケット２Ｒの詳細な構造について説明する。図２（ａ）に示すように、第２カム溝ブラケット３Ｒ、第２ピンブラケット２Ｒは、上記した第１カム溝ブラケット３Ｌ、第１ピンブラケット２Ｌと左右対称な形状に形成されている。第２カム溝ブラケット３Ｒの水平な上板には、扉１０２の他端（右端）側に開口する第２カム溝４Ｒが形成されている。第２カム溝４Ｒは、傾斜案内面４１Ｒ、平行案内面４２Ｒ、扉揺動案内面４３Ｒで構成されている。第２ピンブラケット２Ｒの水平な上板には、第２カム溝４Ｒに係合可能な他端側第１ピン２１Ｒが固定されている。図２（ａ）に示すように、本発明の第１の実施の形態の両開き扉への電力供給機構では、前記した第１カム溝４Ｌと第２カム溝４Ｒの軸心間距離はＬ１に設定されている。
【００１６】
他端側第１ピン２１Ｒは円柱形状で、断面形状が円形の一部を切り欠いたＤ形の形状である。他端側第１ピン２１ＲのＤ形に切り欠いた平面は、洗濯機本体１０１の前面１０３と平行に形成されている。平行案内面４２Ｒは扉１０２と平行に形成されている。切り欠いた平面と他端側第１ピン２１Ｒの外周との間の長さは、平行案内面４２Ｒの幅と同一長さに形成されている。扉１０２の他端（右端）側に開口する傾斜案内面４１Ｒは、平行案内面４２Ｒに連続して形成され、傾斜案内面４１Ｒの幅は他端側第１ピン２１Ｒの外径寸法と同一長さに形成されている。円形の扉揺動案内面４３Ｒは、平行案内面４２Ｒに連続して形成され、扉揺動案内面４３Ｒの内径寸法は他端側第１ピン２１Ｒの外径寸法と同一長さに形成されている。扉揺動案内面４３Ｒには、扉１０２を開いたときに扉１０２の揺動角度を制限するための第２突起４４Ｒが形成されている。第２突起４４Ｒは平行案内面４２Ｒの延長上に形成されている。
【００１７】
［ケーブルホルダの構造］
扉１０２の一端（左端）側面から洗濯機本体１０１の他端（右端）側面に渡って、図４に示すケーブルホルダ５が配置されている。ケーブルホルダ５には、扉１０２の一端（左端）側面から洗濯機本体１０１の他端（右端）側面に渡って配線されたケーブル６が収納されている。ケーブルホルダ５は、中央部の直線状部５００、直線状部５００の一端（左端）に形成された一端側Ｌ字状部５０１Ｌ、直線状部５００の他端（右端）に形成された他端側Ｌ字状部５０１Ｒで構成されている。直線状部５００は扉１０２に平行に形成され、図２、図３に示すように、扉１０２を閉じた状態では、洗濯機本体１０１の断面矩形の収納凹部１０４に収納されている。収納凹部１０４は、洗濯機本体１０１の前面１０３に、前面１０３の幅方向のほぼ全長に渡って形成されている。一端側Ｌ字状部５０１Ｌは、直線状部５００の一端から扉１０２に対して直角に延びた後、扉１０２の内部で直角に折れ曲がり、扉１０２の一端側端部近傍まで延びて形成されている。同様に、他端側Ｌ字状部５０１Ｒは、直線状部５００の他端から扉１０２に対して直角に延びた後、扉１０２の内部で直角に折れ曲がり、扉１０２の他端側端部近傍まで延びて形成されている。すなわち、一端側Ｌ字状部５０１Ｌと他端側Ｌ字状部５０１Ｒは左右対称に形成されている。
【００１８】
一端側Ｌ字状部５０１Ｌには一端側開口部５１Ｌ（図４参照）が形成され、この一端側開口部５１Ｌからケーブル６の一端６Ｌを引き出して、扉１０２の一端（左端）側面に配線し、扉１０２の操作部（図示せず）に接続する。また、他端側Ｌ字状部５０１Ｒには他端側開口部５１Ｒ（図４参照）が形成され、この他端側開口部５１Ｒからケーブル６の他端６Ｒを引き出して、洗濯機本体１０１の他端（右端）側面に配線し、洗濯機本体１０１の制御盤に接続する。ケーブルホルダ５は、下部のケース５Ａと上部の蓋部材５Ｂの二つの部品で構成され、ケース５Ａにケーブル６を収納した後に、ケース５Ａの上部に蓋部材５Ｂを載置して押し込み固定している。
【００１９】
一端側Ｌ字状部５０１Ｌは、扉１０２の一端（左端）に一体的に形成された平板状の扉側ブラケット７Ｌに回転可能に軸支されている。また、他端側Ｌ字状部５０１Ｒは、洗濯機本体１０１の他端（右端）側面に一体的に形成された略Ｌ字状の本体側ブラケット７Ｒに回転可能に軸支されている。すなわち、図４に示すように、一端側Ｌ字状部５０１Ｌの下面には、円柱状の一端側ピン５２Ｌが一体的に形成され、扉側ブラケット７Ｌに形成された円形の扉側軸支穴７１Ｌに回転可能に軸支されている。また、他端側Ｌ字状部５０１Ｒの下面には、円柱状の他端側ピン５２Ｒが一体的に形成され、本体側ブラケット７Ｒに形成された長穴状の本体側軸支穴７１Ｒに回転可能に軸支されている。図２（ｂ）に示すように、本発明の第１の実施の形態の両開き扉への電力供給機構では、一端側ピン５２Ｌと他端側ピン５２Ｒの軸心間距離はＬ２に設定され、前記した第１カム溝４Ｌと第２カム溝４Ｒの軸心間距離Ｌ１と同一長さに設定している。
【００２０】
図６（ａ）に示すように、一端側ピン５２Ｌはその軸心にスリット５３Ｌが形成され、一端側ピン５２Ｌの下端には一対の係止爪５４Ｌ、５４Ｌが形成されている。一端側ピン５２Ｌを扉側軸支穴７１Ｌに上から押し込めば、２点鎖線で示すようにスリット５３Ｌの幅が狭くなり、係止爪５４Ｌ、５４Ｌを扉側軸支穴７１Ｌに挿入することができる。扉側軸支穴７１Ｌから係止爪５４Ｌ、５４Ｌが突出すると、実線で示すようにスリット５３Ｌの幅が広がり、係止爪５４Ｌ、５４Ｌが扉側ブラケット７Ｌから抜け出さなくなり、一端側ピン５２Ｌを扉側ブラケット７Ｌに固定することができる。図示はしないが、他端側ピン５２Ｒは一端側ピン５２Ｌと同一形状である。図６（ｂ）は図６（ａ）の変形例である。一端側ピン５５Ｌはその軸心に雌ねじ５６Ｌが形成され、ワッシャ５７Ｌを介して止めねじ５８Ｌが雌ねじ５６Ｌにねじ込まれて、一端側ピン５５Ｌを扉側ブラケット７Ｌに固定している。図示はしないが、他端側ピン５２Ｒも一端側ピン５５Ｌと同一形状にしてもよい。
【００２１】
［扉の開閉動作とケーブルホルダの動作］
本発明の実施の形態の両開き扉への電力供給機構は以上のように構成され、以下のように両開き扉へ電力が供給される。図２に示すように、扉１０２を閉じた状態では、第１ピンブラケット２Ｌの一端側第１ピン２１Ｌに第１カム溝ブラケット３Ｌの傾斜案内面４１Ｌが係合し、第２ピンブラケット２Ｒの他端側第１ピン２１Ｒに第２カム溝ブラケット３Ｒの傾斜案内面４１Ｒが係合している。従って、扉１０２は閉じた状態が維持される。図２、図３に示すように、扉１０２を閉じた状態では、ケーブルホルダ５の直線状部５００は洗濯機本体１０１の断面矩形の収納凹部１０４に収納され、洗濯機本体１０１の前面１０３及び扉１０２に平行に直線状部５００が配置されて、ケーブル６は、洗濯機本体１０１の制御盤と扉１０２の操作部に接続されている。
【００２２】
［扉の左端を手前に引いて右開きした時のケーブルホルダの動作］
図７は、扉の左端を手前に引いた状態を示す図である。図７（ａ）は扉を右開きで開くために扉の左端を手前に引いた状態を示す図２（ａ）に相当する図、図７（ｂ）は扉を右開きで開くために扉の左端を手前に引いた状態を示す図２（ｂ）に相当する図である。図８は扉を右開きで全開した状態を示すであり、図２（ａ）に相当する図である。図９は扉を右開きで全開した状態を示す要部の斜視図である。図７に示すように、扉１０２を右開きするため、扉１０２の左端を手前に引くと、扉１０２は右にスライドしながら反時計方向に揺動する。すなわち、右端の第２カム溝ブラケット３Ｒは、他端側第１ピン２１Ｒに第２カム溝４Ｒが案内されて移動し、傾斜案内面４１Ｒ、平行案内面４２Ｒ、扉揺動案内面４３Ｒの順で他端側第１ピン２１Ｒに係合する。円形の扉揺動案内面４３Ｒの内周が他端側第１ピン２１Ｒの円形の外周に完全に係合すると、扉１０２を開くことが可能になる。
【００２３】
また、扉１０２の左端を手前に引くと、左側の第１カム溝ブラケット３Ｌは、一端側第１ピン２１Ｌに第１カム溝４Ｌが案内されて移動し、傾斜案内面４１Ｌが一端側第１ピン２１Ｌから外れ、扉１０２の左端を更に開くことが可能になる。この時、ケーブルホルダ５は、扉１０２と共に右にスライドしながら反時計方向に揺動する。すなわち、ケーブルホルダ５の右端の他端側ピン５２Ｒは、本体側ブラケット７Ｒの本体側軸支穴（長穴）７１Ｒに案内されて右にスライドするため、ケーブルホルダ５は、扉１０２と共に右にスライドしながら反時計方向に揺動が可能となる。扉１０２を手で反時計方向に更に揺動させると、右端の第２カム溝ブラケット３Ｒが他端側第１ピン２１Ｒを支点にして反時計方向に揺動する。この時、第２カム溝ブラケット３Ｒの扉揺動案内面４３Ｒが他端側第１ピン２１Ｒの円形の外周に案内されて揺動し、扉揺動案内面４３Ｒが円形に形成されているため、第２カム溝ブラケット３Ｒは他端側第１ピン２１Ｒから外れない。ケーブルホルダ５は、右端の他端側ピン５２Ｒを支点にして、扉１０２と共に反時計方向に更に揺動する。
【００２４】
図８に示すように、扉１０２が全開すると、右端の第２カム溝ブラケット３Ｒの第２突起４４Ｒが他端側第１ピン２１Ｒの切り欠いた平面２２Ｒ（図８参照）に当接するため、扉１０２を全開させた時の揺動角度を制限することができる。ケーブルホルダ５は、右端の他端側ピン５２Ｒを支点にして、扉１０２と共に反時計方向に揺動し、ケーブルホルダ５の直線状部５００が全開した扉１０２と平行な状態になる。図７、図８、図９に示すように、扉１０２を右開きする過程で、ケーブルホルダ５は、扉１０２、洗濯機本体１０１に対して若干のスライド動作と揺動動作を行う。すると、ケーブル６の一端６Ｌ、ケーブル６の他端６Ｒは若干弾性変形すると共に、一端側Ｌ字状部５０１Ｌ、他端側Ｌ字状部５０１Ｒ内部で摺動し、ケーブルホルダ５のスライド動作と揺動動作を吸収する。従って、扉１０２を右開きで全開する時に、ケーブル６には無理な力が加わらない。
【００２５】
［扉の右端を手前に引いて左開きした時のケーブルホルダの動作］
図１０は、扉１０２を左開きで全開した状態を示す図２（ａ）に相当する図である。図１１は、扉１０２を左開きで全開した状態を示す要部の斜視図である。図８の状態から、扉１０２の右端を手で時計方向に揺動させると、右端の第２カム溝ブラケット３Ｒが他端側第１ピン２１Ｒを支点にして時計方向に揺動する。すると、扉１０２の左端と右端は、前記した図７の状態に戻る。その後、扉１０２の左端を奥側に押すと、扉１０２は左にスライドしながら時計方向に揺動し、扉１０２の左端と右端は、前記した図２の状態に戻り、扉１０２は完全に閉じた状態になる。この状態から、扉１０２を左開きするために扉１０２の右端を手前に引くと、右側の第２カム溝ブラケット３Ｒは、他端側第１ピン２１Ｒに第２カム溝４Ｒが案内されて移動し、傾斜案内面４１Ｒが他端側第１ピン２１Ｒから外れ、扉１０２の右端を更に開くことが可能になる。
【００２６】
この時、ケーブルホルダ５は、扉１０２と共に左にスライドしながら時計方向に揺動する。すなわち、ケーブルホルダ５の右端の他端側ピン５２Ｒは、本体側ブラケット７Ｒの本体側軸支穴（長穴）７１Ｒに案内されて左にスライドするため、ケーブルホルダ５は、扉１０２と共に左にスライドすることが可能となる。扉１０２を手で時計方向に更に揺動させると、左端の第１カム溝ブラケット３Ｌが一端側第１ピン２１Ｌを支点にして時計方向に揺動する。この時、第１カム溝ブラケット３Ｌの扉揺動案内面４３Ｌが一端第１ピン２１Ｌの円形の外周に案内されて揺動し、扉揺動案内面４３Ｌが円形に形成されているため、第１カム溝ブラケット３Ｌは一端側第１ピン２１Ｌから外れない。ケーブルホルダ５は、ケーブルホルダ５の右端の他端側ピン５２Ｒが、本体側ブラケット７Ｒの本体側軸支穴７１Ｒに軸支されている。従って、ケーブルホルダ５の直線状部５００は洗濯機本体１０１の断面矩形の収納凹部１０４に収納された状態を維持し、洗濯機本体１０１の前面１０３及び扉１０２に平行に配置されて、ケーブル６は、洗濯機本体１０１の制御盤と扉１０２の操作部に接続された状態が維持される。
【００２７】
図１０に示すように、扉１０２が左開きで全開すると、左端の第１カム溝ブラケット３Ｌの第１突起４４Ｌが一端側第１ピン２１Ｌの切り欠いた平面２２Ｌ（図１０参照）に当接するため、扉１０２を左開きで全開させた時の揺動角度を制限することができる。右開きの時と同様に、扉１０２を左開きする過程で、ケーブルホルダ５は、扉１０２、洗濯機本体１０１に対して若干のスライド動作と揺動動作を行う。すると、ケーブル６の一端６Ｌ、ケーブル６の他端６Ｒは若干弾性変形すると共に、一端側Ｌ字状部５０１Ｌ、他端側Ｌ字状部５０１Ｒ内部で摺動し、ケーブルホルダ５のスライド動作と揺動動作を吸収する。従って、扉１０２を左開きで全開する時に、ケーブル６には無理な力が加わらない。また、扉１０２側と洗濯機本体１０１側が常時ケーブル６で接続されているので、簡素な構造でコストを低減でき、安定した電力または信号の供給が可能となる。
【００２８】
［第２の実施の形態の両開き扉への電力供給機構の構造］
以下、本発明の第２の実施の形態の両開き扉への電力供給機構を図面に基づいて説明する。図１２は、本発明の第２の実施の形態の両開き扉への電力供給機構を示し、ケーブルホルダが無い例であり、扉を左開きで全開した状態を示す図である。図１２は扉を左開きで全開した状態を示す図１１に相当する図であり、図１３は図１２のＲ矢視図、図１４は扉を右開きで全開した状態を示す図１３に相当する図である。第２の実施の形態は第１の実施の形態のケーブルホルダ５が無い例である。以下の説明では、第１の実施の形態の両開き扉への電力供給機構と異なる部分についてのみ説明し、第１の実施の形態の両開き扉への電力供給機構と同一部品には同一番号を付与して説明する。扉１０２と洗濯機本体１０１に配置された一対の開閉機構は、第１の実施の形態と全く同一なので、詳細な構造と詳細な説明は省略する。第２の実施の形態の両開き扉への電力供給機構では、扉１０２の一端（左端）側面から洗濯機本体１０１の他端（右端）側面に渡ってケーブル６が配線されている。
【００２９】
扉１０２の一端（図１２の右端、図１３の下端）側面には、ケーブル６の一端６Ｌを摺動可能に支持する扉側ブラケット８Ｌが固定されている。扉側ブラケット８Ｌには、ケーブル６の一端６Ｌを摺動可能に支持する長穴状の扉側支持穴８１Ｌが形成されている。洗濯機本体１０１の他端（図１２の右端、図１３の右端）側面には、ケーブル６の他端６Ｒを摺動可能に支持する本体側ブラケット８Ｒが固定されている。本体側ブラケット８Ｒには、ケーブル６の他端６Ｒを摺動可能に支持する長穴状の本体側支持穴８１Ｒが形成されている。ケーブル６の一端６Ｌを扉１０２の一端（図１２の右端、図１３の下端）側面に配線し、扉１０２の操作部（図示せず）に接続する。また、ケーブル６の他端６Ｒを洗濯機本体１０１の他端（図１２の右端、図１３の右端）側面に配線し、洗濯機本体１０１の制御盤に接続する。
【００３０】
扉１０２を左開きで全開した状態では、ケーブル６の直線状部６０は洗濯機本体１０１の前面１０３に平行に配置されて、ケーブル６は、洗濯機本体１０１の制御盤と扉１０２の操作部に接続された状態が維持される。扉１０２を左開きで全開する過程で、扉１０２は洗濯機本体１０１に対して若干のスライド動作と揺動動作を行う。しかし、ケーブルの一端６Ｌ、ケーブルの他端６Ｒは若干弾性変形すると共に、一端６Ｌは扉側支持穴８１Ｌに沿って摺動し、他端６Ｒは本体側支持穴８１Ｒに沿って摺動し、扉１０２のスライド動作と揺動動作を吸収する。従って、扉１０２を左開きで全開する時に、ケーブル６には無理な力が加わらない。図１４に示す扉１０２を右開きで全開する時も、左開きの時と同様に、ケーブル６には無理な力が加わらない。扉１０２を右開きで全開した状態では、ケーブル６の直線状部６０は扉１０２に平行に配置されて、ケーブル６は、洗濯機本体１０１の制御盤と扉１０２の操作部に接続された状態が維持される。第２の実施の形態の両開き扉への電力供給機構も、扉１０２側と洗濯機本体１０１側が常時ケーブル６で接続されているので、簡素な構造でコストを低減でき、安定した電力または信号の供給が可能となる。
【００３１】
以上、本発明の実施例を説明したが、本発明はこの実施例に限定されることはない。例えば、前述した実施例では、冷蔵庫、洗濯機、乾燥機等の機器本体の開口部を覆う両開き扉に適用した例について説明したが、家具や住宅設備等の本体の開口部を覆う両開き扉に適用してもよい。また、前述した実施例では、ケーブルホルダ５の一端と他端に、一端側ピン５２Ｌ及び他端側ピン５２Ｒが形成され、扉側ブラケット７Ｌと本体側ブラケット７Ｒに扉側軸支穴７１Ｌ、本体側軸支穴７１Ｒが形成されているが、ケーブルホルダ５の一端と他端に扉側軸支穴７１Ｌ、本体側軸支穴７１Ｒを形成し、扉側ブラケット７Ｌと本体側ブラケット７Ｒに一端側ピン５２Ｌ及び他端側ピン５２Ｒを形成してもよい。また、一方のピンに他方の爪を係合させて、ケーブルホルダ５と扉側、本体側を連結してもよい。また、扉側ブラケット７Ｌは扉１０２に一体的に形成され、本体側ブラケット７Ｒは洗濯機本体１０１に一体的に形成されているが、各々別部品で形成し、ボルト等で扉１０２、洗濯機本体１０１に各々固定してもよい。
【００３２】
前述した実施例では、一本のケーブル６の一端６Ｌを扉１０２に配線し、ケーブル６の他端６Ｒを洗濯機本体１０１に配線している。しかし、ケーブル６を一端側と他端側で各々分割し、分割した２箇所をコネクタで接続すれば、配線の作業性と装置の安全性が向上するため、好ましい。
また、本発明の第１の実施の形態の両開き扉への電力供給機構では、一端側ピン５２Ｌと他端側ピン５２Ｒの軸心間距離はＬ２に設定され、第１カム溝４Ｌと第２カム溝４Ｒの軸心間距離Ｌ１と同一長さに設定されているが、同一長さでなくともよい。
さらに、扉側軸支穴７１Ｌは円形、本体側軸支穴７１Ｒは長穴状、扉側支持穴８１Ｌは長穴状、本体側支持穴８１Ｒは長穴状に形成されているが、扉１０２のスライド動作と若干の揺動動作を吸収可能な形状であればよい。また、スライドしない構造の両開き扉であれば、軸受穴の直径はピンと適度な隙間で嵌合する大きさでよい。
【符号の説明】
【００３３】
１００…洗濯機
１０１…洗濯機本体（機器本体、または本体）
１０２…扉
１０３…前面
１０４…収納凹部
２Ｌ…第１ピンブラケット
２１Ｌ…一端側第１ピン
２２Ｌ…切り欠いた平面
３Ｌ…第１カム溝ブラケット
４Ｌ…第１カム溝
４１Ｌ…傾斜案内面
４２Ｌ…平行案内面
４３Ｌ…扉揺動案内面
４４Ｌ…第１突起
５…ケーブルホルダ
５Ａ…ケース
５Ｂ…蓋部材
５１Ｌ…一端側開口部
５２Ｌ…一端側ピン
５３Ｌ…スリット
５４Ｌ…係止爪
５５Ｌ…一端側ピン
５６Ｌ…雌ねじ
５７Ｌ…ワッシャ
５８Ｌ…止めねじ
５００…直線状部
５０１Ｌ…一端側Ｌ字状部
６…ケーブル
６Ｌ…ケーブルの一端
６０…直線状部
７Ｌ…扉側ブラケット
７１Ｌ…扉側軸支穴
８Ｌ…扉側ブラケット
８１Ｌ…扉側支持穴
２Ｒ…第２ピンブラケット
２１Ｒ…他端側第１ピン
２２Ｒ…切り欠いた平面
３Ｒ…第２カム溝ブラケット
４Ｒ…第２カム溝
４１Ｒ…傾斜案内面
４２Ｒ…平行案内面
４３Ｒ…扉揺動案内面
４４Ｒ…第２突起
５１Ｒ…他端側開口部
５２Ｒ…他端側ピン
５０１Ｒ…他端側Ｌ字状部
６Ｒ…ケーブルの他端
７Ｒ…本体側ブラケット
７１Ｒ…本体側軸支穴
８Ｒ…本体側ブラケット
８１Ｒ…本体側支持穴
【図１】
2020103688.tif 000003
【図２】
2020103688.tif 000004
【図３】
2020103688.tif 000005
【図４】
2020103688.tif 000006
【図５】
2020103688.tif 000007
【図６】
2020103688.tif 000008
【図７】
2020103688.tif 000009
【図８】
2020103688.tif 000010
【図９】
2020103688.tif 000011
【図１０】
2020103688.tif 000012
【図１１】
2020103688.tif 000013
【図１２】
2020103688.tif 000014
【図１３】
2020103688.tif 000015
【図１４】
2020103688.tif 000016